(57)【要約】【課題】モニタを９０度より広く開くことのできるモニタの動きを可能にする。【解決手段】モニタ取付用組立体は、筐体の凹部に配置された第１のヒンジ（２）を有する。モニタは、第１の位置では凹部の内側に筐体と面一に配置され、このモニタを第１のヒンジ（２）の回転軸（７）を中心に回転させることによって、第２の位置に配置される。第１のヒンジ（２）の回転角度は、０度から９０度の間である。第１のヒンジ（２）の回転軸（７）に平行な面に回転軸（１２）を有する第２のヒンジ（１１）が設けられる。第１のヒンジ（２）が全開されたとき、第２のヒンジ（１１）は筐体の凹部の外側に配置される。第１及び第２のヒンジ（７，１２）の回転軸に対して直角をなす回転軸（３２）を中心にモニタを回転させる回り継手（３１）が設けられる。【選択図】図７
2008141768.tif 000002
【特許請求の範囲】
【請求項１】
筐体（４）の凹部（３）に配置された第１のヒンジ（２）を有し、モニタ（６）が、第１の位置では前記凹部（３）の内側に前記筐体（４）と面一に配置され、前記モニタ（６）は、該モニタ（６）を前記第１のヒンジ（２）の回転軸（７）を中心に回転させることによって、第２の位置に配置可能であり、回転角度が事実上０度から９０度の間であるモニタ取付用組立体（１）であって、
前記第１のヒンジ（２）の前記回転軸（７）に事実上平行である面に回転軸（１２）を有する第２のヒンジ（１１）が設けられ、前記第１のヒンジ（２）が実質的に全開されたとき、前記第２のヒンジ（１１）が前記筐体（４）の前記凹部（３）の外側に配置され、前記第１のヒンジ（２）及び前記第２のヒンジ（１１）を操作するのに必要なトルクが、互いに顕著に異なるように設定され、前記第１のヒンジ（２）を操作するのに必要なトルクが、前記第２のヒンジ（１１）を操作するのに必要なトルクよりも好ましくは低いことを特徴とするモニタ取付用組立体。
【請求項２】
前記第１のヒンジ（２）の回転角度が、機械的止め子、特に前記凹部（３）の縁部（８）によって制限されることを特徴とする請求項１に記載のモニタ取付用組立体。
【請求項３】
前記第２のヒンジ（１１）が、前記第１のヒンジ（２）から、前記第１のヒンジ（２）の前記回転軸（７）と前記筐体（４）の外表面（９）との間の距離（ｄ１）と、前記第２のヒンジ（１１）の回転軸（１２）と前記モニタ（６）の外表面（１３）との間の距離（ｄ２）との合計に等しい、又は前記合計より大きい距離（Ｄ）のところに配置されることを特徴とする請求項１に記載のモニタ取付用組立体。
【請求項４】
前記第２のヒンジ（１１）に機械的抵抗が設けられ、前記機械的抵抗が、前記第２のヒンジ（１１）を通常操作するのに必要なトルクを顕著に超えるトルクを加えることによって克服可能であることを特徴とする請求項１から３のいずれかに記載のモニタ取付用組立体。
【請求項５】
前記機械的抵抗が、切欠きに係合する、ばね付き又は可撓性のピンによって与えられることを特徴とする請求項４に記載のモニタ取付用組立体。
【請求項６】
前記機械的抵抗が、軸方向にばね荷重を掛けられ、ピン又は切欠きを有する前記第２のヒンジ（１１）によって与えられ、前記ピン又は切欠きが、対応する切欠き又はピンに係合することを特徴とする請求項４に記載のモニタ取付用組立体。
【請求項７】
前記モニタ（６）を前記第１のヒンジ（７）及び前記第２のヒンジ（１１）の前記回転軸（１２）に対して直角をなす回転軸（３２）を中心に回転させる回り継手（３１）が設けられることを特徴とする請求項１から６のいずれかに記載のモニタ取付用組立体。
【請求項８】
旋回する前記回り継手（３１）が、前記第１のヒンジ（２）と前記第２のヒンジ（１１）とを連結することを特徴とする請求項７に記載のモニタ取付用組立体。
【発明の詳細な説明】
【技術分野】
【０００１】
本発明は、カメラのモニタ取付用組立体に関し、より詳細には、平坦な画面のモニタ、例えば、ＬＣＤモニタ用の二重ヒンジ式モニタ取付台に関する。
【背景技術】
【０００２】
消費者又は専門家の使用のための現代のビデオカメラには、ファインダとして、及び録画を見るためにモニタが備えられている。画面は比較的大型になり、カメラがどのように保持されても、カメラ操作者が、録画されている場面を常によく見ることのできる位置に画面を置けるように、様々な方向に動かされることのできる画面を有することが望ましい。可動式の画面は、周囲の光が画面上に再生されているものの可視性及び判読性に影響を及ぼさない位置に、画面を置くことができる利点をさらに有する。画面及びモニタという用語は、別に明示しない限り、本明細書全体にわたって同義的に用いられている。
【０００３】
消費者用のビデオカメラは、運搬位置にあるとき筐体と面一になるよう調整可能な画面をしばしば備えている。画面を使用者に向かって開くために、単一のヒンジが設けられている。いくつかの消費者用ビデオカメラは、また、単一のヒンジを有する旋回手段を備え、全開されたとき、見るのに都合のよい位置まで画面をさらに回転させることができるか、又は、画面を１８０度旋回させ、次に画面を畳んで、筐体の中へ戻すことができる。しかしながら、画面が全開されると、ヒンジに掛かる、画面をさらに開こうとする力が、画面又はヒンジを壊し、カメラに深刻な損傷を引き起こすことがある。
【発明の開示】
【発明が解決しようとする課題】
【０００４】
したがって、ビデオカメラでは、運搬位置（ｔｒａｖｅｌｌｉｎｇ  ｐｏｓｉｔｉｏｎ）にあるとき、筐体（ｈｏｕｓｉｎｇ）と面一である位置になる折り畳み式のモニタ又は画面を有することが望まれる。モニタを９０度より広く開くことに対応するモニタの動きを可能にすることがさらに望まれる。さらにまた、ヒンジの軸に対して直角をなすモニタの回転が望まれる。
【０００５】
本発明は、このような問題に鑑みてなされたもので、その目的とするところは、ＬＣＤモニタ用の二重ヒンジ式モニタ取付台などのような、平坦な画面のモニタ取付用組立体を提供ことにある。
【課題を解決するための手段】
【０００６】
独立請求項１に規定されるモニタ取付用組立体によって、これら又は他の目的が達成される。有利な開発例及び実施形態が、従属請求項に規定される。
【０００７】
本発明の第１の実施態様に従ったモニタ取付用組立体は、筐体の凹部に配置された第１のヒンジを有する。モニタは、第１の位置において、凹部の内側に筐体と面一に配置される。モニタは、第１のヒンジの回転軸を中心にモニタを回転させることによって、第２の位置に配置可能である。第１のヒンジの回転角度は、事実上０度から９０度の間である。第１のヒンジの回転軸に事実上平行である面に回転軸を有する第２のヒンジが設けられる。第１のヒンジが事実上全開されたとき、第２のヒンジは筐体の凹部の外側に配置される。したがって、第１のヒンジの最大の開き角度に達したとき、第２のヒンジによって、画面をさらに開くことができる。
【０００８】
第１のヒンジの回転角度は、機械的止め子によって制限されてよい。機械的止め子は、凹部の縁部によって与えられてよい。
【０００９】
本発明の一実施形態では、第２のヒンジが、第１のヒンジから、第１のヒンジの回転軸と筐体の外表面との間の距離と、第２のヒンジの回転軸とモニタの外表面との間の距離との合計に等しい、又はその合計より大きい距離のところに配置される。これによって、モニタが筐体に対して事実上平坦になるまで、筐体の外表面に向かってモニタを畳むことができるようになる。
【００１０】
好ましい実施形態では、第１及び第２のヒンジを操作するのに必要なトルクが、互いに顕著に異なるように設定される。第１のヒンジを操作するのに必要なトルクは、好ましくは、第２のヒンジを操作するのに必要なトルクよりも低く設定され、それによって、通常の動作の際には、第２のヒンジが動作を始める前に第１のヒンジが全開される。これはまた、適切に定められた操作方法を与え、より頑丈で、より信頼性があるという印象を操作者に与えるのに望ましいであろう。操作のためのトルクの顕著な違いは、好ましくは、生産上の公差による単なる違いを超えるものである。
【００１１】
他の実施形態では、機械的抵抗が第２のヒンジに設けられる。機械的抵抗は、第２のヒンジを通常操作するのに必要なトルクを顕著に超えるトルクを掛けることによって克服可能である。これによって、通常の操作の際に、モニタが、第１のヒンジを中心にしてのみ回転されることが確実になり、一方で、安全上の特徴としてのさらなる動きを与える。モニタが第１のヒンジを中心に全開され、人又は物が偶発的にモニタ衝突して、モニタをさらに開く方向に力を掛けた場合、第２のヒンジが必要な動きを与える。モニタのこのさらなる動きによって、通常の使用に影響を及ぼすことなく、本発明のモニタ取付用組立体を備えたカメラの転倒、又はモニタ又はヒンジの破損を防ぐことができる。一実施形態では、機械的抵抗は、切欠きに係合するばね付き又は可撓性のピンによって与えられる。他の実施形態では、機械的抵抗は、軸方向にばね荷重が掛けられ、ピン又は切欠きを有する第２のヒンジによって与えられ、このピン又は切欠きが、対応する切欠き又はピンに係合する。
【００１２】
本発明の開発例では、第１及び第２のヒンジの回転軸に対して直角をなす回転軸を中心にモニタを回転させる回り継手が設けられる。この追加の継手によって、開かれたときに画面を回転させることができ、例えば、モニタの判読性に影響を及ぼす周囲の光を避けるなど、モニタのさらなる方向付けの方法を与える。この追加の継手によって、また、モニタを１８０度回転させ、筐体の凹部の中へモニタを再び折り畳むことができるようになり、それによってモニタは、完全に見ることができながら、筐体と面一になる。
【００１３】
本開発例の一実施形態では、回り継手が第１のヒンジと第２のヒンジとを連結する。
【発明を実施するための最良の形態】
【００１４】
本発明は、図面を参照してより詳細に説明される。図では、同じ又は同様の要素が、同じ参照符号によって示される。
【００１５】
図１は、第１の位置にある、本発明の第１実施形態に従ったモニタ取付用組立体を備えたカメラの概略側面図である。モニタ取付用組立体は、筐体４の凹部３に配置された、第１のヒンジ２及び第２のヒンジ１１を含んでいる。凹部３は、モニタ取付用組立体１及びモニタ６を囲む方形の線として示されている。モニタ６は、後ろ側から示され、破線によって標示されている。第１及び第２のヒンジ２，１１の回転軸７，１２が一点破線で示され、湾曲された矢印が回転を表す。
【００１６】
図２は、第２の位置にあるモニタを有する、図１のモニタ取付用組立体を備えたカメラの概略側面図である。ここでは、モニタ６は全開され、モニタ６の後ろ側が筐体４と面一になっている。ここでは凹部３は空である。第１及び第２のヒンジ２，１１は、ここでは、一方の上に他方が配置されており、回転軸７，１２も同様である。第１及び第２のヒンジ２，１１の位置は、単一の見えるヒンジ、及び単一の見える回転軸によって示されている。モニタ６のこの位置は、まず、モニタ６を第１のヒンジ２を中心に完全に回し、次に、モニタ６を第２のヒンジ１１を中心に回すことによって達成されていてよい。第１のヒンジ２は、以下に述べるように、さらに開かれることができない。
【００１７】
図３は、第１の位置にある、本発明の第２実施形態に従ったモニタ取付用組立体１を備えたカメラの概略側面図である。構成要素は、図１及び２で述べられたものと実際上同じである。追加の回り継手３１が、モニタ取付用組立体１に設けられる。回り継手３１は、第１及び第２のヒンジ２，１１の回転軸７，１２に対して事実上直角をなす回転軸３２を有する。回り継手３１の可能な回転が、湾曲された矢印によって示される。
【００１８】
図４は、第２の位置にある、図３のモニタ取付用組立体を備えたカメラの概略側面図である。この図４は図２と同様であり、対応する構成要素を示す。回り継手３１は、湾曲された矢印によってやはり示されるように、図の表面に平行な面においてモニタ６を回すことのできる位置にあるのが示されている。モニタ６が、第１のヒンジ２の全開に対応する位置に設定されると、回り継手３１が、カメラの後ろの使用者（図示せず）に対するモニタ６の前側の角度を変えることができるようになるであろう。この実施形態は、また、モニタ６を、凹部３の内側に配置されながら、凹部３の外側に向かって面するように配置することを可能にする（図示せず）。
【００１９】
図５Ａ乃至図５Ｃは、３つの異なる位置にあるモニタ取付用組立体の細部を断面図である。図５Ａでは、モニタ６は、凹部３の内側に筐体４と面一に配置される。第１及び第２のヒンジ２，１１も、凹部３の内側に配置される。第１及び第２のヒンジ２，１１は、回り継手３１によって連結されている。モニタ６は、凹部３の内側、又は外側に面していてよい。図５Ｂでは、第１及び第２のヒンジ２，１１が全開され、モニタ６は凹部３の外側で筐体４と面一になっている。第１のヒンジ２と第２のヒンジ１１との間の最小距離Ｄが、第１のヒンジ２の回転軸７と筐体の外表面９との間の距離ｄ１と、第２のヒンジ１１の回転軸１２とモニタ６の外表面１３との間の距離ｄ２との合計に等しい。図面では、モニタ６の外表面１３が筐体４の外表面９に向かって面している。分かりやすくするために、図に示される距離は誇張されていることに留意されたい。しかしながら、第１のヒンジ２と第２のヒンジ１１との間の距離は、最小の必要距離に比して大きくなるように慎重に選択されてよい。図５Ｃは、カメラの使用者（図示せず）に向かって面する、通常位置にあるモニタ６を示す。
【００２０】
図６は、本発明によるモニタ取付用組立体の細部の斜視図である。モニタ６は、筐体４の凹部３の内側に、外側に面して配置されている。第１及び第２のヒンジ２，１１は、また、凹部３の内側に配置されている。
【００２１】
図７は、本発明に従ったモニタ取付用組立体に用いられる例示的なヒンジ組立体の斜視図である。第１及び第２のヒンジ２，１１、ならびに湾曲された矢印で示されたその回転の軸７，１２が示されている。回り継手３１が設けられ、第１のヒンジ２と第２のヒンジ１１とを連結する。回り継手３１の回転軸３２が、図にやはり示されている。
【００２２】
図８は、図７の例示的なヒンジ組立体が、本発明によるモニタ取付用組立体の中にどのように配置されるかを示す概略図である。破線は、ヒンジ組立体が、筐体４及びモニタ６によって少なくとも部分的に被覆されていることを示す。第１及び第２のヒンジ２，１１、ならびに回り継手３１が、図８に示されている。
【００２３】
本発明は、カメラ用のモニタ取付台に関して説明されてきたが、モニタが凹部の中に折り畳み可能に配置される一方で、大きい角度の動きのできる他の用途に本発明を用いることが、当業者には明らかであろう。
【図面の簡単な説明】
【００２４】
【図１】本発明の第１実施形態に従ったモニタ取付用組立体を備えたカメラの概略側面図である。
【図２】異なる位置にあるモニタを備えた、図１のカメラ及びモニタ取付用組立体の概略側面図である。
【図３】本発明の第２実施形態に従ったモニタ取付用組立体を備えたカメラの概略側面図である。
【図４】第２の位置にあるモニタを備えた、図３のカメラ及びモニタ取付用組立体の概略側面図である。
【図５Ａ】異なる位置にあるモニタ取付用組立体の細部を示す断面図である。
【図５Ｂ】異なる位置にあるモニタ取付用組立体の細部を示す断面図である。
【図５Ｃ】異なる位置にあるモニタ取付用組立体の細部を示す断面図である。
【図６】本発明に従ったモニタ取付用組立体の細部を示す斜視図である。
【図７】本発明に従ったモニタ取付用組立体に使用される例示的なヒンジ組立体の斜視図である。
【図８】本発明に従ったモニタ取付用組立体における、図７の例示的なヒンジ組立体の位置を示した概略図である。
【符号の説明】
【００２５】
１  モニタ取付用組立体
２  第１のヒンジ
３  凹部
４  筐体
６  モニタ
７  回転軸
８  縁部
９  外表面
１１  第２のヒンジ
１２  回転軸
１３  外表面
３１  回り継手
３２  回転軸
【図１】
2008141768.tif 000003
【図２】
2008141768.tif 000004
【図３】
2008141768.tif 000005
【図４】
2008141768.tif 000006
【図５Ａ】
2008141768.tif 000007
【図５Ｂ】
2008141768.tif 000008
【図５Ｃ】
2008141768.tif 000009
【図６】
2008141768.tif 000010
【図７】
2008141768.tif 000011
【図８】
2008141768.tif 000012